(57)【要約】      （修正有）【課題】乾式の掃除機を利用して簡単に湿式に機能変更できるアタッチメントを提供する。【解決手段】汚水タンク１と、その下の洗浄液タンク２と、吸引開口と流出開口を持つ吸引ヘッド３と、汚水タンク１から延長された延長管１３と、洗浄液を吸引ヘッド３に案内する洗浄液通路１５と、汚水タンク１の蓋体１ｃに設けられ、吸引空気で回転するファン９ｂを有して、当該回転力により汚水タンク１に突出させた皿体９ａを回転させて汚水タンク１内の空気をファン９ｂに流入させる分離処理部５と、洗浄液タンク２と分離処理部５の間の水平横位置であって、汚水タンク１に離間して起立姿勢で固定され、内部に上下方向の管路を有する把持部６と、把持部６の上側の管路が接続され分離処理部５のファン９ｂに流入した空気を吸引する出口管１９と、把持部６の下側の管路を水平方向に向きを変えて乾式掃除機のエアーホースに接続する結合端２２とを備える。【選択図】図１
2014094026.tif 000002
【特許請求の範囲】
【請求項１】
水平断面円形の周面部を有する汚水タンクと、前記汚水タンクの下に配置された洗浄液タンクと、吸引開口と流出開口とが併設された吸引ヘッドと、前記汚水タンクから前方へ延長され、前記吸引ヘッドの吸引開口に一端が連通し、他端が前記汚水タンク内に開放された延長管と、前記洗浄液タンクの洗浄液を前記吸引ヘッドの吸引開口に案内する洗浄液通路と、前記汚水タンクの上部空間を覆う蓋体に設けられ、吸引空気で回転するファンを有して、当該回転力により前記汚水タンクに突出させた皿体を回転させて当該皿体のスリットを介して前記汚水タンク内の空気を前記ファンに流入させる分離処理部と、前記洗浄液タンクと前記分離処理部の間の水平横位置であって、前記汚水タンクに離間して起立姿勢で固定され、内部に上下方向の管路を有する把持部と、前記把持部の上側の管路が接続され前記分離処理部のファンに流入した空気を吸引する出口管と、前記把持部の下側の管路を水平方向に向きを変えて乾式掃除機のエアーホースに接続する結合端とを備えたことを特徴とする湿式吸引アタッチメント。
【請求項２】
前記汚水タンクから前記蓋体を取り外す際に伴って、前記出口管を前記把持部の上側の管路から分離可能とするソケットが設けられていることを特徴とする請求項１記載の湿式吸引アタッチメント。
【請求項３】
前記洗浄液タンクは、前記汚水タンクから分離可能であることを特徴とする請求項１記載の湿式吸引アタッチメント。
【発明の詳細な説明】
【技術分野】
【０００１】
本発明は、乾式の掃除機を被浄化面に洗浄液を供給して吸引し除去する湿式掃除機に機能変更する湿式吸引アタッチメントに関する。
【背景技術】
【０００２】
湿式の掃除機として、例えば、特許文献１には、水を床面に吹き付けて床面を洗浄しながら、床面上の水及びこれに溶解された汚れを吸引し除去する掃除機が示されている。
【０００３】
また、特許文献２には、高齢者や病人等の被介護者の身体に付着した排泄物等の汚れを除去するための装置として、身体表面に温水等の洗浄水を噴射して排泄物等の汚れを洗い流しながら、身体表面上の洗浄水やこれに含まれる排泄物等を吸込み汚水タンクに溜めるクリーナが開示されている。
【先行技術文献】
【特許文献】
【０００４】
【特許文献１】特開２００５−１３１２４０号公報
【特許文献２】特開２００２−３１５８０９号公報
【発明の概要】
【発明が解決しようとする課題】
【０００５】
上述した特許文献１及び２に開示された装置は、汚染水を吸込むための電動送風機と、汚染水を溜める汚水タンクとを掃除機筐体内に備えた湿式専用の掃除機として機能する。
しかしながら、カーペット上に子供がソースをこぼしたり、ペットが排泄をしたようなちょっとした用途のために、このような専用機を家庭に所有しておくことは難しい。
【０００６】
そこで本発明は、通常家庭に常備されている乾式の掃除機を利用して簡単に湿式に機能変更できるアタッチメントを提供することを目的とする。
【課題を解決するための手段】
【０００７】
本発明の湿式吸引アタッチメントは、水平断面円形の周面部を有する汚水タンクと、前記汚水タンクの下に配置された洗浄液タンクと、吸引開口と流出開口とが併設された吸引ヘッドと、前記汚水タンクから前方へ延長され、前記吸引ヘッドの吸引開口に一端が連通し、他端が前記汚水タンク内に開放された延長管と、前記洗浄液タンクの洗浄液を前記吸引ヘッドの吸引開口に案内する洗浄液通路と、前記汚水タンクの上部空間を覆う蓋体に設けられ、吸引空気で回転するファンを有して、当該回転力により前記汚水タンクに突出させた皿体を回転させて当該皿体のスリットを介して前記汚水タンク内の空気を前記ファンに流入させる分離処理部と、前記洗浄液タンクと前記分離処理部の間の水平横位置であって、前記汚水タンクに離間して起立姿勢で固定され、内部に上下方向の管路を有する把持部と、前記把持部の上側の管路が接続され前記分離処理部のファンに流入した空気を吸引する出口管と、前記把持部の下側の管路を水平方向に向きを変えて乾式掃除機のエアーホースに接続する結合端とを備える。
【発明の効果】
【０００８】
本発明によれば、乾式掃除機を用いて、湿式の掃除を行うことができるため、乾式掃除機と湿式掃除機の両方を所有する必要が無い。また、管路を備えた把持部は上下方向の管路を備えており、上側を分離処理部に、下側を乾式掃除機に接続している。把持部と管路を兼用させたことにより、吸引空気を取り回す管路が整理され、かつ把持し易い。また、把持部を中心にした時、上側に分離処理部が、下側に洗浄液が充填される洗浄液タンクが配置されるため、上下の重量バランスが良いという効果がある。
【図面の簡単な説明】
【０００９】
【図１】アタッチメントの部分断面図である。
【図２】アタッチメントから蓋体を分離させた状態を示す図である。
【図３】アタッチメントを乾式掃除機に接続した状態を示す図である。
【図４】吸引ヘッドを示す図である。
【発明を実施するための形態】
【００１０】
図１において、本実施例に係るアタッチメント１００は、本体容器１１０内に汚水タンク１、洗浄液タンク２、分離処理部５が設けられている。本体容器１１０の外側には把持部６、吸引ヘッド３と連結する延長管１３、乾式掃除機のエアーホースと結合する結合端２２が設けられている。
【００１１】
本体容器１１０内には、上側に汚水タンク１、下側に洗浄液タンク２か積み重ねられた状態で配置されている。汚水タンク１は、水平断面が円形であって、円形の底面部１ｂと底面部１ｂから上に行くに従って半径を大きくする円錐状の周面部１ａを有し、周面部１ａの上端縁に沿って汚水タンク１の内部空間を封鎖する蓋体１ｃによって、上部空間が覆われている。
【００１２】
底面部１ｂは、本体容器１１０の内部容積を上下に仕切る仕切板７で形成されている。蓋体１ｃには分離処理部５が組み込まれ、本体容器１１０に複数（例えば４つ）の係止部８を介して、汚水タンク１から脱着可能に固定される。
【００１３】
図２に、本体容器１１０から蓋体１ｃを取り外した状態を示す。それぞれの係止部８は、揺動操作される舌片８ａと、この舌片８ａの係止穴ａ１に嵌挿状に掛け止められる鈎状突部８ｂとからなっている。
【００１４】
蓋体１ｃに設けられた分離処理部５は吸引ヘッド３を通じて汚水タンク１内に空気と一緒に吸引した溶剤、溶剤中に含まれる汚れ及びゴミ等から、空気を選別し出口管１９に向け流出させる。分離処理部５は、気体と液体を分離する気水分離を行うもので、皿体９ａ、空気流により回転されるファン９ｂ、及びファン９ｂの回転を皿体９ａに伝達する軸部９ｃからなっている。皿体９ａは、周面に多数の傾斜状のスリットｂ２が多数形成されており、回転することにより水の皿体９ａ内への進入を止め、スリットｂ２を通してその内側へ空気を流れ込ませる。内側へ流れ込んだ空気は、ファン９ｂに流れ込み、ファン９ｂを回転させて出口管１９を介して吸引される。
【００１５】
汚水タンク１の下側には、洗浄液タンク２が配置されている。洗浄液タンク２は周面部２ａと、底面部２ｂとを有し、頂面部２ｃは汚水タンク１の底面部１ｂを構成する仕切り板７を共有している。周面部２ａには洗浄液受け部１０が設けられ、この洗浄液受け部１０は洗浄液供給管１０ａとこれの上端の開口を開閉可能に閉鎖する蓋体１０ｂとを備えている。洗浄液供給管１０ａは下端の開口ｃ１を周面部２ａ内に開放しており、頂面部２ｃより高く設定されている。蓋体２ｂは、洗浄液タンク２内の空気が出入りするための空気抜き孔が形成され、洗浄液タンク２内に水等の洗浄液を供給する場合には、開放される。
【００１６】
延長管１３は、その後端が周面部１ａを介して汚水タンク１内にノズル２３を介して開放されている。ノズル２３の開口ｄ１は、延長管１３内で空気が通過する断面積ｄ２よりも小さな開口面積となっており、汚水タンク１への入流速度が上昇するようになっている。さらに、ノズル２３の開口ｄ１は、延長管１３からの空気流を周面部１ａに沿う周方向に向けて開口している。ノズル２３の外側は、周面部１ａと連続的な曲線を描く案内壁２３ａになっており、汚水タンク１内を旋回する汚水が、案内壁２３ａの上を乗り越えて旋回するようになっている。
【００１７】
延長管１３は汚水タンク１から前方にやや下向きに斜めに延長され、その先端には吸引ヘッド３が連結されている。吸引ヘッド３は、延長管１３に差し込まれる口管３ａと、内部空間が口管３ａから前方へ向けて漸次に横方へ拡開された通路部３ｂを備えている。
【００１８】
洗浄液タンク２内から吸引ヘッド３の間には洗浄液通路１５が設けられている。吸引ヘッド３内が負圧になると、大気圧の洗浄液タンク２から洗浄液が吸引ヘッド３に向けて洗浄液通路１５内を流れる。吸引ヘッド３には、長さ途中に流量調整部１６を備えている。流量調整部１６は洗浄液通路１５の長さ途中箇所を扁平状に弾性変形させるように構成したもので、ハンドル１６ａを備えている。支軸１７を中心にハンドル１６ａを揺動操作すると、ハンドル１６ａと延長管１３の間に洗浄液通路１５が挟み込まれ、弾性変形して洗浄液を閉塞状態にする。
【００１９】
図４は吸引ヘッド３を示している。図４Ａは吸引ヘッド３の下面を、図４ＢはＸ−Ｘ断面を示している。下面外側周囲を定義する周囲面ｆ４の中に、延長管１３による吸引負圧が導かれる横方へ細長い吸引開口ｆ1と、洗浄液通路１５からの洗浄液が導かれる流出開口ｆ２とが境界部ｆ３を挟んで併設されている。境界部ｆ３は、対向する両辺がそれぞれ吸引開口ｆ1と流出開口ｆ２の淵を定義し、その高さは周囲面ｆ４よりも窪んだ高さである。このため、周囲面ｆ４が被浄化面に当接すると、境界部ｆ３の下面と被浄化面との間に隙間が生じる。洗浄液がこの隙間を経由して流出開口ｆ２から吸引開口ｆ１に流れることにより、被浄化面に付着した汁物等の汚れを溶解させる。また、周囲面ｆ４にはブラシが必要に応じて設けられる。
【００２０】
図１に戻り、把持部６は汚水タンク１の後側に起立姿勢で固定されている。実施例においては、保持部材１８ａを介して汚水タンク１に固定されており、一方、保持部材１８ｂは洗浄液タンク２に跨った状態で配置され、両方の保持部材により橋渡し状に把持部６を本体容器１１０に固定している。把持部６内部は、縦向きの管である。把持部６の上端には、把持部６の内部の管路に対して出口管１９を抜き差し可能な状態で差し込まれるソケット２０が嵌着されている。そして把持部６の内部の管路の下端は水平方向に９０度送風方向を曲げられ、結合端２２を介して電気掃除機１０１のエアーホースｈが接続される。把持部６は、洗浄液タンク２と分離処理部５との間であって本体容器１１０に離間して設けられている。この位置は、洗浄液タンク２が洗浄液で充填され、蓋体１ｃが装着された本体容器１１０の重心位置の水平方向横に相当する位置である。
【００２１】
本体容器１１０が転倒した際に、本体容器１１０内の汚水が分離処理部５内に入り込まないように本体容器１１０の左右一側の外面には、側脚２１（図３参照）が横方へ張り出した状態で設けられている。
【００２２】
次に上記のように形成された本例のアタッチメント１００の使用例について説明する。
流量調整部１６が閉塞状態した状態で、洗浄液受け部１０の蓋体１０ｂを開放して洗浄液を洗浄液タンク２内に供給した後、蓋体１０ｂを閉鎖する。
乾式掃除機である電気掃除機１０１のエアーホースｈの先端開口を結合端２２に外嵌させ連通させる。操作者は、電気掃除機１０１のスイッチｋを操作して始動させて、手ｊで把持部６を把持し、吸引ヘッド３の吸引開口ｆ１をカーペット等の被浄化面に当接させる。
【００２３】
始動された電気掃除機１０１は、出口管１９、皿体９ａ、汚水タンク１及び吸引ヘッド３を通じて空気を吸引する。洗浄液による洗浄を行う場合、ハンドル１６ａを操作して洗浄液通路１５を開状態にする。吸引ヘッド３の吸引開口ｆ１の負圧が、境界部ｆ３の下面を伝って流出開口ｆ２に伝播される。流出開口ｆ２からは洗浄液タンク２内の洗浄液が被浄化面上に流出し、被浄化面に付着した汁物等の汚れを溶解させる。
【００２４】
被浄化面上に存在する洗浄液やこれに混合した汚れ成分、及び散在するゴミ等は吸引開口ｆ１を経て汚水タンク１内に流入する。ノズルに流速が増加した状態で周面部１ａに沿って周方向へ流動する。また皿体９ａが回転することにより、汚水タンク１内ではこれの中心線回りの旋回流が生成される。汚水タンク１内において遠心分離が行われ、分離された汚水は洗浄液タンク２内を降下する。皿体９ａは、スリットｂ２を経て出口管１９内へ流下しようとする汚水を回転による遠心力で跳ね飛ばして出口管１９内への進入を阻止する。出口管１９内の空気流は、把持部６、結合端２２を経て電気掃除機ｋ１に至る。
【００２５】
汚水タンク１内には汚水が排出必要レベルまで蓄積したら、図２に示すように各係止部８による本体容器１１０と蓋体１ｃとの係止を外す。そして、汚水タンク１に蓄積された汚水を破棄する。
本実施例においては、把持部６の下側に電気掃除機１０１のエアーホースｈを接続することにより、エアーホースｈが手の動きを邪魔することを回避させている。
【００２６】
汚水タンク１は洗浄液タンク２の上側に配置されている。汚水タンクは、皿体９ａを内部に有するため、洗浄液タンク２よりも深さが必要である。洗浄液及び汚水の重量物を把持部６の下側に位置させ、分離処理部５を上側に設定しているので、重心位置が把持部６の近辺あり、アタッチメント１００を取り回ししやすい。
【００２７】
また、洗浄液タンク２から汚水タンク１に移っても重心が上昇しても高さを大きく変えないので、取り回し性は劣化しない。洗浄液タンク２が汚水タンク１の上にあると、掃除開始当初、重心は把持部６の上側にあるので、取り回しにくくなる。また、掃除中に移動する洗浄液の移動高さも大きくなり、重心変動が大きくなる。
【００２８】
汚水タンク１を上側に配置したことにより、電気掃除機１０１からの吸引空気を汚水タンク１の蓋体１ｃに設けられた分離処理部５に対して導入しなくてはならないが、把持部６がこの役目を担っている。通常の電気掃除機１０１の風量を扱う管の太さは、ほぼ掌で握れる太さであり、アタッチメント１００を邪魔しない下側の位置から導入された電機掃除機１０１の吸引空気を把持部６の内部を利用して分離処理部５に送るのである。
【００２９】
前記実施例においては、本体容器１１０の内部空間を仕切板７により上下に分割して、汚水タンク１と洗浄液タンク２を上下に積み重ねた構造にしたが、本体容器１１０から洗浄液タンク２を分離可能としても良い。例えば、汚水タンク１の下面に螺子を設け、これに洗浄液タンク２を下から螺子込んで取り付けるようにしても良い。
【符号の説明】
【００３０】
１  汚水タンク
１ｃ  蓋体
２  洗浄液タンク
３  吸引ヘッド
４  洗浄液案内路
５  分離処理部
６  把持部
１００  アタッチメント
１０１  電気掃除機
１１０  本体容器
【図１】
2014094026.tif 000003
【図２】
2014094026.tif 000004
【図３】
2014094026.tif 000005
【図４】
2014094026.tif 000006
【手続補正書】
【提出日】平成25年4月2日(2013.4.2)
【手続補正１】
【補正対象書類名】特許請求の範囲
【補正対象項目名】請求項１
【補正方法】変更
【補正の内容】
【請求項１】
水平断面円形の周面部を有する汚水タンクと、前記汚水タンクの下に配置された洗浄液タンクと、吸引開口と流出開口とが併設された吸引ヘッドと、前記汚水タンクから前方へ延長され、前記吸引ヘッドの吸引開口に一端が連通し、他端が前記汚水タンク内に開放された延長管と、前記洗浄液タンクの洗浄液を前記吸引ヘッドの吸引開口に案内する洗浄液通路と、前記汚水タンクの上部空間を覆う蓋体に設けられ、吸引空気で回転するファンを有して、当該回転力により前記汚水タンクに突出させた皿体を回転させて前記吸引開口から前記汚水タンク内に吸込まれた空気を当該皿体のスリットを介して前記ファンに流入させる一方、前記吸引開口から前記汚水タンクに吸込まれた汚れを混合する洗浄水に対しては前記スリットを経て進入しようとするのを当該皿体の回転による遠心力で跳ね飛ばして前記汚水タンクに蓄積させる分離処理部と、前記洗浄液タンクと前記分離処理部の間の水平横位置であって、前記汚水タンクに離間して起立姿勢で固定され、内部に上下方向の管路を有する把持部と、前記把持部の上側の管路が接続され前記分離処理部のファンに流入した空気を吸引する出口管と、前記把持部の下側の管路を水平方向に向きを変えて乾式掃除機のエアーホースに接続する結合端とを備えたことを特徴とする湿式吸引アタッチメント。
【手続補正２】
【補正対象書類名】明細書
【補正対象項目名】０００７
【補正方法】変更
【補正の内容】
【０００７】
本発明の湿式吸引アタッチメントは、平断面円形の周面部を有する汚水タンクと、前記汚水タンクの下に配置された洗浄液タンクと、吸引開口と流出開口とが併設された吸引ヘッドと、前記汚水タンクから前方へ延長され、前記吸引ヘッドの吸引開口に一端が連通し、他端が前記汚水タンク内に開放された延長管と、前記洗浄液タンクの洗浄液を前記吸引ヘッドの吸引開口に案内する洗浄液通路と、前記汚水タンクの上部空間を覆う蓋体に設けられ、吸引空気で回転するファンを有して、当該回転力により前記汚水タンクに突出させた皿体を回転させて前記吸引開口から前記汚水タンク内に吸込まれた空気を当該皿体のスリットを介して前記ファンに流入させる一方、前記吸引開口から前記汚水タンクに吸込まれた汚れを混合する洗浄水に対しては前記スリットを経て進入しようとするのを当該皿体の回転による遠心力で跳ね飛ばして前記汚水タンクに蓄積させる分離処理部と、前記洗浄液タンクと前記分離処理部の間の水平横位置であって、前記汚水タンクに離間して起立姿勢で固定され、内部に上下方向の管路を有する把持部と、前記把持部の上側の管路が接続され前記分離処理部のファンに流入した空気を吸引する出口管と、前記把持部の下側の管路を水平方向に向きを変えて乾式掃除機のエアーホースに接続する結合端とを備えたことを特徴とする。
【手続補正書】
【提出日】平成25年6月19日(2013.6.19)
【手続補正１】
【補正対象書類名】特許請求の範囲
【補正対象項目名】請求項１
【補正方法】変更
【補正の内容】
【請求項１】
水平断面円形の周面部を有する汚水タンクと、前記汚水タンクの下に配置された洗浄液タンクと、吸引開口と流出開口とが併設された吸引ヘッドと、前記汚水タンクから前方へ延長され、前記吸引ヘッドの吸引開口に一端が連通し、他端が前記汚水タンク内に開放された延長管と、前記洗浄液タンクの洗浄液を前記吸引ヘッドの流出開口に案内する洗浄液通路と、前記汚水タンクの上部空間を覆う蓋体に設けられ、吸引空気で回転するファンを有して、当該回転力により前記汚水タンクに突出させた皿体を回転させて前記吸引開口から前記汚水タンク内に吸込まれた空気を当該皿体のスリットを介して前記ファンに流入させる一方、前記吸引開口から前記汚水タンクに吸込まれた汚れを混合する洗浄水に対しては前記スリットを経て進入しようとするのを当該皿体の回転による遠心力で跳ね飛ばして前記汚水タンクに蓄積させる分離処理部と、前記洗浄液タンクと前記分離処理部の間の水平横位置であって、前記汚水タンクに離間して起立姿勢で固定され、内部に上下方向の管路を有する把持部と、前記把持部の上側の管路が接続され前記分離処理部のファンに流入した空気を吸引する出口管と、前記把持部の下側の管路を水平方向に向きを変えて乾式掃除機のエアーホースに接続する結合端とを備えたことを特徴とする湿式吸引アタッチメント。
【手続補正２】
【補正対象書類名】明細書
【補正対象項目名】０００７
【補正方法】変更
【補正の内容】
【０００７】
本発明の湿式吸引アタッチメントは、水平断面円形の周面部を有する汚水タンクと、前記汚水タンクの下に配置された洗浄液タンクと、吸引開口と流出開口とが併設された吸引ヘッドと、前記汚水タンクから前方へ延長され、前記吸引ヘッドの吸引開口に一端が連通し、他端が前記汚水タンク内に開放された延長管と、前記洗浄液タンクの洗浄液を前記吸引ヘッドの流出開口に案内する洗浄液通路と、前記汚水タンクの上部空間を覆う蓋体に設けられ、吸引空気で回転するファンを有して、当該回転力により前記汚水タンクに突出させた皿体を回転させて前記吸引開口から前記汚水タンク内に吸込まれた空気を当該皿体のスリットを介して前記ファンに流入させる一方、前記吸引開口から前記汚水タンクに吸込まれた汚れを混合する洗浄水に対しては前記スリットを経て進入しようとするのを当該皿体の回転による遠心力で跳ね飛ばして前記汚水タンクに蓄積させる分離処理部と、前記洗浄液タンクと前記分離処理部の間の水平横位置であって、前記汚水タンクに離間して起立姿勢で固定され、内部に上下方向の管路を有する把持部と、前記把持部の上側の管路が接続され前記分離処理部のファンに流入した空気を吸引する出口管と、前記把持部の下側の管路を水平方向に向きを変えて乾式掃除機のエアーホースに接続する結合端とを備えたことを特徴とする。